(57)【要約】【課題】煩わしい操作を行うことなく、適切に画像データを他の電子機器へ送信することを容易に行えるようにすること。【解決手段】被写体を撮像して画像データを生成する、複数の動作モードを有する撮像装置であって、外部装置との間で無線通信を行う無線通信回路部（２０３）と、画像データの送信を指示する操作部（２０４）と、前記複数の動作モードそれぞれに対応させて送信先を設定し、記憶する送信先設定手段（２０４、２０５、２１０）と、前記操作部により画像データの送信が指示された場合に、前記送信先設定手段に記憶された、指示された時の動作モードに対応する送信先に、前記無線通信回路部を介して画像データを送信する制御を行う送信制御手段（２０７）とを有する。【選択図】  図２
2004336196.tif 000002
【特許請求の範囲】
【請求項１】
被写体を撮像して画像データを生成する、複数の動作モードを有する撮像装置であって、
外部装置との間で無線通信を行う無線通信手段と、
画像データの送信を指示する指示手段と、
前記複数の動作モードそれぞれに対応させて送信先を設定し、記憶する送信先設定手段と、
前記指示手段により画像データの送信が指示された場合に、前記送信先設定手段に記憶された、指示された時の動作モードに対応する送信先に、前記無線通信手段を介して画像データを送信する制御を行う送信制御手段と
を有することを特徴とする撮像装置。
【請求項２】
前記複数の動作モードのそれぞれに対応させて送信する画像データの情報を設定し、記憶する送信画像設定手段を更に有し、
前記送信制御手段は、前記指示手段により画像データの送信が指示された場合に、前記送信画像設定手段に記憶された、指示された時の動作モードに対応する画像データの情報に基づいて画像データを送信することを特徴とする請求項１に記載の撮像装置。
【請求項３】
前記送信先設定手段は、各動作モードに対して複数の送信先を設定可能であって、前記撮像装置は、
前記指示手段により画像データの送信が指示された場合に、前記送信先設定手段に記憶された、指示された時の動作モードに対応する送信先から、１以上の送信先を選択する選択手段を更に有し、
前記送信制御手段は、前記選択手段により選択された送信先に画像データを送信することを特徴とする請求項１又は２に記載の撮像装置。
【請求項４】
前記無線通信手段は、無線通信機能を有する各々の機器に固有に割り当てられた識別符号により通信対象を指定する通信方式により通信を行い、前記送信先設定手段は、送信先として識別符号を設定することを特徴とする請求項１乃至３のいずれかに記載の撮像装置。
【請求項５】
画像を表示可能な表示手段を更に有し、
前記複数の動作モードは、被写体の撮像を行う撮像モードと、前記表示手段に撮像して得た画像データを再生表示する再生モードとを含むことを特徴とする請求項１乃至４のいずれかに記載の撮像装置。
【請求項６】
被写体を撮像して画像データを生成し、複数の動作モードを有する、外部装置との間で無線通信可能な撮像装置の制御方法であって、
前記複数の動作モードそれぞれに対応させて送信先を設定し、記憶する送信先設定工程と、
画像データの送信を指示する指示工程と、
前記指示工程における画像データの送信指示に応じて、前記送信先設定工程で記憶された、指示された時の動作モードに対応する送信先に、無線通信により画像データを送信する送信工程と
を有することを特徴とする制御方法。
【請求項７】
前記複数の動作モードのそれぞれに対応させて送信する画像データの情報を設定し、記憶する送信画像設定工程を更に有し、
前記送信工程では、前記指示工程における画像データの送信指示に応じて、前記送信画像設定工程で記憶された、指示された時の動作モードに対応する画像データの情報に基づいて画像データを送信することを特徴とする請求項６に記載の制御方法。
【請求項８】
前記送信先設定工程では、各動作モードに対して複数の送信先を設定可能であって、前記制御方法は、
前記指示工程における画像データの送信指示に応じて、前記送信先設定工程で記憶された、指示された時の動作モードに対応する送信先から、１以上の送信先を選択する選択工程を更に有し、
前記送信工程では、前記選択工程で選択された送信先に画像データを送信することを特徴とする請求項６又は７に記載の制御方法。
【請求項９】
前記送信工程では、無線通信機能を有する各々の機器に固有に割り当てられた識別符号により通信対象を指定する通信方式により通信を行い、前記送信先設定工程では、送信先として識別符号を設定することを特徴とする請求項６乃至８のいずれかに記載の制御方法。
【請求項１０】
前記撮像装置は画像を表示可能な表示手段を更に有し、
前記複数の動作モードは、被写体の撮像を行う撮像モードと、前記表示手段に撮像して得た画像データを再生表示する再生モードとを含むことを特徴とする請求項６乃至９のいずれかに記載の制御方法。
【請求項１１】
請求項６乃至１０のいずれかに記載の制御方法を実現するためのプログラムコードを有することを特徴とする情報処理装置が実行可能なプログラム。
【請求項１２】
請求項１１に記載のプログラムを記憶したことを特徴とする情報処理装置が読み取り可能な記憶媒体。
【発明の詳細な説明】
【０００１】
【発明の属する技術分野】
本発明は、撮像装置により被写体を撮像して得た画像データを、該撮像装置から外部装置に送信する技術に関する。
【０００２】
【従来の技術】
近年、撮影した画像の信号をデジタル画像データに変換して記録媒体に記録するデジタルカメラが普及している。このようなデジタルカメラは、撮影した画像をカラープリンタで印刷したり、画像データをパーソナルコンピュータに保存したり、更には保存した画像データに適宜加工や編集を行ってホームページ上に掲載する等、様々な目的で広く利用されている。
【０００３】
一般に、デジタルカメラではデジタル画像データを記録する記録媒体として、フラッシュメモリなどの不揮発性の半導体メモリ素子を用いたメモリカードが利用されている。デジタルカメラで撮影した画像をプリンタで印刷したり、パーソナルコンピュータに保存して加工、編集するには、デジタルカメラのメモリカードスロットからメモリカードを取り外し、取り外したメモリカードをパーソナルコンピュータのＰＣカードスロットにアダプタを介して装着するなどの作業が必要である。
【０００４】
こうした作業の煩雑さを解消するために、デジタルカメラにいわゆるブルートゥースなどの無線通信機能を設け、無線通信によりデジタルカメラからプリンタに直接画像データを送信して印刷の指示を行ったり、パーソナルコンピュータに無線通信で画像データを送信してパーソナルコンピュータのハードディスク装置に画像データを保存することが可能なデジタルカメラが提案されている。
【０００５】
このような画像データの無線送信が可能なデジタルカメラの中には、画像データの送信先機器を特定するために送信先の無線機器の識別符号やアドレスを予め登録するものや、メモリカードに記録されたそれぞれの画像データごとに送信先を対応づけてその識別符号やアドレスをメモリカードに記録するものなどがある
【０００６】
【発明が解決しようとする課題】
しかしながら、デジタルカメラで画像データを他の機器に送信する場合、撮影モードや再生モードなどの動作モードによって送信先が変わることが一般的である。たとえば、デジタルカメラが撮影モードのときには、メモリカードの空き容量を大きくするために撮影した画像データをパーソナルコンピュータに送信してハードディスク装置に保存するのに対して、再生モードのときには、再生中の画像を印刷する目的でプリンタに送信するといった使い方が一般に行われる。従って、上述の従来例のデジタルカメラでは、動作モードを変えて画像データの送信先を変更する度に通信の相手機器の識別符号やアドレスを登録し直さなければならず、煩雑な操作が必要になるといった問題点があった。
【０００７】
本発明は上記問題点を鑑みてなされたものであり、煩わしい操作を行うことなく、動作モードに応じて適切に画像データを他の電子機器へ容易に送信できるようにすることを目的とする。
【０００８】
【課題を解決するための手段】
上記目的を達成するために、本発明の撮像装置は、被写体を撮像して画像データを生成し、複数の動作モードを有するものであって、外部装置との間で無線通信を行う無線通信手段と、画像データの送信を指示する指示手段と、前記複数の動作モードそれぞれに対応させて送信先を設定し、記憶する送信先設定手段と、前記指示手段により画像データの送信が指示された場合に、前記送信先設定手段に記憶された、指示された時の動作モードに対応する送信先に、前記無線通信手段を介して画像データを送信する制御を行う送信制御手段とを有することを特徴とする。
【０００９】
また、被写体を撮像して画像データを生成し、複数の動作モードを有する、外部装置との間で無線通信可能な撮像装置の本発明の制御方法は、前記複数の動作モードそれぞれに対応させて送信先を設定し、記憶する送信先設定工程と、画像データの送信を指示する指示工程と、前記指示工程における画像データの送信指示に応じて、前記送信先設定工程で記憶された、指示された時の動作モードに対応する送信先に、無線通信により画像データを送信する送信工程とを有することを特徴とする。
【００１０】
【発明の実施の形態】
以下、添付図面を参照して本発明の好適な実施の形態を詳細に説明する。ただし、本実施の形態において例示される構成部品の寸法、材質、形状、それらの相対配置などは、本発明が適用される装置の構成や各種条件により適宜変更されるべきものであり、本発明がそれらの例示に限定されるものではない。
【００１１】
＜第１の実施形態＞
図１は、本発明の第１の実施形態に係るデジタルカメラの後面側を示す外観斜視図である。
【００１２】
図１のデジタルカメラ１００は、その上面に撮影を指示する撮影ボタン１０１、電源をオンからオフおよびオフからオンに切り換える電源スイッチ１０２、デジタルカメラ１００の動作モードを設定するモード選択ダイアル１０３が備えられている。本第１の実施形態に係るデジタルカメラ１００は、被写体像を撮影して生成された画像データをメモリカードに記録する撮影モードと、メモリカードに記録されている画像データをカラー液晶表示装置に再生して表示する再生モードを有している。デジタルカメラ１００の電源がオンになっている状態でモード選択ダイアル１０３を回転して所定位置に合わせるか、または電源がオフになっている状態でモード選択ダイアル１０３を回転して所定の動作モードの位置にあわせ、電源スイッチ１０２を押下してデジタルカメラ１００の電源をオンにすることで、デジタルカメラ１００はそれぞれの動作モードで動作する。また、無線通信を行うためのアンテナ１０４がデジタルカメラ１００の上面に設けられている。
【００１３】
デジタルカメラ１００の後面には、撮影モード時には撮影される被写体像を表示し、再生モード時にはメモリカードに記録された画像を再生表示するカラー液晶表示装置１０５、デジタルカメラ１００の各種動作条件を設定するためにメニュー項目を呼び出すメニューボタン１０６、メニュー項目から選択した項目を指定する決定ボタン１０７、動作状態の変更の指示やメニュー項目の選択および再生モード時にカラー液晶表示装置１０５に表示する画像の選択を行う「左」ボタン１０８および「右」ボタン１０９、撮影モード時にはズームイン・ズームアウトを指示し、再生モード時には拡大表示や一覧表示を指示するほか、メニュー画面が表示されているときにメニュー項目を選択する「＋（プラス）」ボタン１１０および「−（マイナス）」ボタン１１１を備える。また、不図示であるが、デジタルカメラ１００の動作状態を指示するその他の操作ボタンがある。また、デジタルカメラ１００の後面には無線通信によりパーソナルコンピュータ装置やプリンタ等への画像データの送信を指示する送信ボタン１１２が設けられている。
【００１４】
さらに、デジタルカメラ１００の後面には、デジタルカメラ１００の動作状態の表示や警告表示を行うＬＥＤランプ１１３、被写体像を確認する光学ファインダー１１６が備えられている。
【００１５】
デジタルカメラ１００の一方の側面にはメモリカードカバー１１４が設けられている。メモリカードカバー１１４は、デジタルカメラ１００の後面に設けられたメモリカードカバーオープンレバー１１５を下方に押し下げることによって開放され、これにより記録媒体であるメモリカードが着脱可能になる。
【００１６】
また、デジタルカメラ１００の他方の側面には、他の電子機器と通信を行うためのケーブル等を接続するインターフェースコネクタ（不図示）が設けられている。さらに、デジタルカメラ１００の前面には、光学レンズ（不図示）が備えられ、デジタルカメラ１００の下面にはバッテリーを装填するためのバッテリー装填口（不図示）が設けられている。
【００１７】
次に、本発明の第１の実施形態に係るデジタルカメラ１００の構成を図２を参照して説明する。
【００１８】
図２において、デジタルカメラ１００は、撮像部２０１、メモリカード接続回路部２０２、無線通信回路部２０３、操作部２０４、表示部２０５、ＲＯＭ２０６、ＣＰＵ２０７およびＲＡＭ２０８を備え、これらの各ブロックはバスライン２０９を介して互いに接続されている。また、デジタルカメラ１００は、ＥＥＰＲＯＭ２１０および各ブロックに電源を供給するための電源回路部２１２を備えている。
【００１９】
撮像部２０１は、デジタルカメラ１００の前面に設けられた被写体からの反射光を入射するレンズ、レンズで結像された光像を電気信号に変換する光電変換素子（例えばＣＣＤ）、この光電変換素子から出力されるアナログ電気信号をデジタル電気信号に変換するアナログデジタル変換器等から概略構成される。撮像部２０１は、被写体像のデジタル画像データをデジタル電気信号としてバスライン２０９に出力する。
【００２０】
メモリカード接続回路部２０２は、メモリカードを装着するメモリカード接続コネクタとメモリカード制御回路とから構成され、メモリカード制御回路は、ＣＰＵ２０７からの指示に基づきメモリカード接続コネクタに装着されたメモリカードへの画像データの書き込み、読み出しを制御する。
【００２１】
無線通信回路部２０３は、アンテナ１０４、高周波回路および符号化・復号化回路等で概略構成され、同等の無線通信機能を有する電子機器や情報処理装置と互いにデータの送信および受信を行う機能を有する。本第１の実施形態の無線通信方式は、２．４０２〜２．４８０ＧＨｚの周波数範囲に１ＭＨｚの間隔で設けられた７９個の周波数を最大で毎秒１６００回周波数ホッピングする電波を搬送波として用い、この搬送波を情報信号で変調して情報の伝送を行う、いわゆるブルートゥース（Ｂｌｕｅｔｏｏｔｈ）と呼ばれる無線通信方式を用いている。また、本第１の実施形態の通信方式の無線通信機能を有する機器はそれぞれ固有の識別符号を持っており、データの伝送を行うときは送信先の機器の識別符号および送信元の機器の識別符号をデータとともに送信することで通信の相手機器を指定する。また、データを受信した機器はデータとともに受信した送信元の機器の識別符号によって通信の相手機器を認識する。なお、本第１の実施形態に係る無線通信方式の識別符号は６バイト（４８ビット）である。
【００２２】
操作部２０４は、撮影を指示する撮影ボタン１０１やデジタルカメラ１００の動作モードを選択するモード選択ダイアル１０３、メニュー画面の表示を指示するメニューボタン１０６等のデジタルカメラ１００を操作するボタンやダイアル等に連動するスイッチ等で構成され、これらスイッチの状態を電気信号として出力する機能を備える。また、操作部２０４はボタンやダイアルの操作によるスイッチの状態の変化を電気信号の変化として出力する機能を備えている。
【００２３】
表示部２０５は、カラー液晶表示装置１０５およびＬＥＤランプ１１３等から構成される。カラー液晶表示装置１０５は撮影モード時に光学レンズを通して光電変換素子上に結像された撮影対象となる画像を表示する機能を有するとともに、再生モード時にはメモリカードに格納された画像データを再生表示する機能を有する。また、メニューボタン１０６などの操作によりメニュー画面の表示を行う機能や、さらに、無線通信回路部２０３による画像データの送信中に、その旨を文字情報等で表示する機能を有する。ＬＥＤランプ１１３は、デジタルカメラ１００の動作状態の表示や使用者への警告表示を行うもので、本第１の実施形態では、無線通信回路部２０３によって画像データを送信中にＬＥＤランプ１１３を点滅することで、データを送信中であることを報知する機能を実現する。
【００２４】
ＲＯＭ２０６は、ＣＰＵ２０７の制御手順を予め格納する不揮発性メモリである。ＲＯＭ２０６はＣＰＵ２０７からの読み出し命令によって、格納された内容をバスライン２０９に出力する機能を備えている。
【００２５】
ＣＰＵ２０７は、ＲＯＭ２０６に格納された制御手順を実行することにより、撮像部２０１の制御、メモリカード接続回路部２０２の制御とメモリカード接続コネクタに装着されたメモリカードの記憶情報の管理、無線通信回路部２０３の制御、操作部２０４から出力されるスイッチの状態の検出、表示部２０５の制御等を行う。
【００２６】
さらに、ＣＰＵ２０７は、送信ボタン１１２が押下されると、現在の動作モードに対応する送信先として予め登録された識別符号を有する機器に、画像データを無線送信する制御を行う機能を備えている。
【００２７】
ＲＡＭ２０８は、撮像部２０１から出力されるデジタル画像データの一時的なバッファリング、メモリカードへ書き込むデータやメモリカードから読み出したデータの一時的な記憶、およびＣＰＵ２０７のワークメモリなどの機能を提供する。また、ＲＡＭ２０８には、送信ボタン１１２が押下されて画像データを他の機器に無線送信する際に、送信先となる機器の識別符号を格納する領域が確保され、さらに、送信する画像に関する情報を格納する領域が確保されている。
【００２８】
ＥＥＰＲＯＭ２１０は、デジタルカメラ１００の仔細な動作を規定する種々の動作パラメータの値を記憶する書き換え可能な不揮発性のメモリ素子である。ＥＥＰＲＯＭ２１０は、シリアル通信インターフェース２１１を介してＣＰＵ２０７に接続され、格納されているデータをＣＰＵ２０７に出力するとともに、ＣＰＵ２０７から出力されるデータを格納する。
【００２９】
ＥＥＰＲＯＭ２１０に値が格納されている動作パラメータのうちのいくつかは、メニュー画面から動作状態を変更することにより、ＣＰＵ２０７からシリアル通信インターフェース２１１を介してその値を書き換えることが可能である。なお、各動作モードに対応する画像データの送信先識別符号もメニュー画面から変更可能な動作パラメータの一つであり、その変更方法については図を参照して後述する。
【００３０】
電源回路部２１２は、バッテリーおよびＤＣ／ＤＣコンバータ等で概略構成され、電源ライン２１３を介してデジタルカメラ１００の各構成要素に電力を供給する機能を備えている。
【００３１】
次に、デジタルカメラ１００において画像データを送信する送信先機器の識別符号を登録する方法について図を参照しながら説明する。
【００３２】
図３は、本第１の実施形態に係るデジタルカメラ１００における送信先の識別符号を登録する画面表示の状態を示す図である。デジタルカメラ１００の動作パラメータを変更する画面はメニューボタン１０６などの操作によって呼び出すことができ、識別符号を登録する画面も同様の操作によって呼び出し、表示部２０５のカラー液晶表示装置１０５に表示することができる。送信先の識別符号の登録画面が表示されると、使用者は、この画面を見ながら「左」ボタン１０８、「右」ボタン１０９、「＋」ボタン１１０、「−」ボタン１１１、および決定ボタン１０７を操作してそれぞれの動作モードにおける送信先機器の識別符号を登録する。本第１の実施形態においては、６バイトの識別符号を１２桁の１６進数で入力して登録する。
【００３３】
図３に示すように、識別符号の登録画面には動作モードを選択する動作モード選択欄３０１と、６バイトの識別符号を入力する識別符号入力欄３０２がある。メニューボタン１０６等の操作により登録画面を表示させると、初期状態として、例えば図３（ａ）に示すように動作モード選択欄３０１がフォーカスされる。この状態で使用者は、「＋」ボタン１１０および「−」ボタン１１１を操作してどの動作モードに対する識別符号を登録するのか選択する。図３では、一例として、「撮影モード」を選択した場合を示している。
【００３４】
動作モードの選択が終わると、「右」ボタン１０９を押すことで、図３（ｂ）に示すようにフォーカスが識別符号入力欄３０２に移動し、最も左の桁にカーソルが表示される。この状態で、「＋」ボタン１１０および「−」ボタン１１１を操作して一桁目の数字または英字を入力する。入力が終われば「右」ボタン１０９を押下することで、カーソルが右隣の桁に移動するので順次入力を続ける。入力を間違えたときは、「左」ボタン１０８を押すとカーソルが左隣の桁に移動するので正しい値を入力し直すことができる。全ての桁を入力し終えた状態を図３（ｃ）に示す。識別符号として「ＡＢ．ＣＤ．ＥＦ．１２．３４．５６」を入力した場合を示している。この状態で決定ボタン１０７を押すと、入力した識別符号を登録することができ、撮影モードにおける送信先として、この入力した識別符号がＥＥＰＲＯＭ２１０に記憶される。同様の操作を行って再生モードにおける識別符号も登録できる。
【００３５】
また、すでに識別符号を登録済みである場合に登録画面を呼び出すと、図３（ｃ）のようにすでに登録した識別符号が識別符号入力欄３０２に表示される。新たな識別符号を登録するときは、上述の操作によって各桁ごとに修正することができるほか、送信ボタン１１２を押すことで図３（ｂ）の表示状態のように識別符号入力欄３０２がクリアされるので、同様の操作によって新たな識別符号を入力することができる。
【００３６】
また、図３（ａ）または図３（ｂ）のように識別符号入力欄３０２がクリアされている状態で決定ボタン１０７を押すと、ＥＥＰＲＯＭ２１０に記録されている識別符号が消去され、当該動作モードにおいて画像データを無線送信しないように設定することができる。
【００３７】
なお、登録操作に用いるボタンは上記に限るものではなく、適宜変更可能であることは言うまでもない。
【００３８】
次に、デジタルカメラ１００において送信ボタン１１２を押下したときに送信する画像を、予め指定する方法について図４を参照して説明する。
【００３９】
図４は、本第１の実施形態に係るデジタルカメラにおける送信画像を指定する画面表示の状態を示す図である。上述した識別符号の登録画面と同様に、送信画像の指定画面もメニューボタン１０６などの操作によって呼び出し、カラー液晶表示装置１０５に表示することができる。使用者は、この画面表示を見ながら各ボタンを操作してそれぞれの動作モードにおける送信画像を指定することができる。
【００４０】
図４に示すように、送信画像の指定画面には動作モードを選択する動作モード選択欄４０１と、基準となる画像データを設定する基準データ指定欄４０２と、送信する画像データの個数（画像枚数）を示す枚数欄４０３があり、基準となる画像データと送信する画像枚数との組を指定することによって送信画像の指定を行う。
【００４１】
撮影モードでは、基準となる画像としてメモリカードに記録されている画像データのうち最も新しく記録された画像データおよび最も以前に記録された画像データのいずれかを選択することができる。図４（ａ）に示すように基準となる画像データとして最も新しく記録された画像データを選択したときは、デジタルカメラ１００はメモリカードに記録された画像データの中から記録された時刻の新しいものから順に指定画像枚数（図４（ａ）では「３枚」）分の画像データを送信する。一方、図４（ｂ）に示すように基準となる画像データとして最も以前に記録された画像データが選択されたときは、デジタルカメラ１００はメモリカード内の画像データを記録時刻の古いものから順に指定画像枚数分送信する。いずれの場合も、画像データを送信した後に当該画像データをメモリカードから削除するか否かをメニュー画面から指定することができる（不図示）。
【００４２】
また、図４（ｃ）に示すように再生モードが指定された場合、撮影モードの場合と同様に、基準となる画像データとして最も新しく記録された画像データおよび最も以前に記録された画像データを選択することができるほか、カラー液晶表示装置１０５に再生表示されている画像を基準画像データとすることができる。再生表示中の画像を基準画像として選択したときは、デジタルカメラ１００はカラー液晶表示装置１０５に再生表示中の画像から記録時刻の新しい順に指定画像枚数分の画像データを送信する。また、再生モードの場合も画像データを送信した後に当該画像データをメモリカードから削除するかどうかをメニュー画面から指定することができる（不図示）。
【００４３】
メニュー画面から入力されたそれぞれの動作モードごとの送信画像情報、すなわち基準画像と送信する画像枚数の情報は、ＣＰＵ２０７からシリアル通信インターフェース２１１を介してＥＥＰＲＯＭ２１０に書き込まれる。
【００４４】
次に、本第１の実施形態に係るデジタルカメラ１００の画像送信処理を図５のフローチャートを参照して詳細に説明する。図５に示す処理は、デジタルカメラ１００の送信ボタン１１２の操作により起動される割り込み処理である。
【００４５】
デジタルカメラ１００の送信ボタン１１２が押下されると、操作部２０４はＣＰＵ２０７に対して割り込み信号を発行する。この割り込み信号を受けたＣＰＵ２０７は、内部に組み込まれている割り込み処理を開始するための制御手順を実行して割り込み処理を開始し、ＲＯＭ２０６に予め格納された図５に示す画像送信処理を実行する。
【００４６】
まずステップＳ５０１で、画像送信処理中に送信ボタン１１２の操作により再びＣＰＵ２０７が割り込みを受け付けることのないように、割り込みを禁止する。続くステップＳ５０２で、メモリカード接続回路部２０２に接続されたメモリカードの内容を読み出して、メモリカードに画像データが記録されているかどうかを判定する。ここでは、メモリカードに記録された画像データ（ファイル）の個数Ｎを確認し、Ｎ＝０であれば画像が記録されていないのでステップＳ５１４に進み、Ｎ≧１であれば画像が記録されているのでステップＳ５０３へ進む。
【００４７】
ステップＳ５０３では、操作部２０４から出力される信号を読み取り、モード選択ダイアル１０３が撮影モードに設定されているかどうかを判定する。設定が撮影モードであればステップＳ５０４において、ＣＰＵ２０７はＥＥＰＲＯＭ２１０に格納された撮影モードの送信先識別符号をシリアル通信インターフェース２１１を介して読み出し、ＲＡＭ２０８の識別符号を格納する領域に読み出した識別符号を格納する。続くステップＳ５０５では、撮影モードの送信画像指定情報、すなわち基準となる画像と、一度に送信する画像データの個数（Ｋ）に関する情報をシリアル通信インターフェース２１１を介してＥＥＰＲＯＭ２１０から読み出し、ＲＡＭ２０８の送信画像指定情報を格納する領域に読み出した情報を書き込み、ステップＳ５０９へ進む。
【００４８】
一方、ステップＳ５０３で動作モードが撮影モードでないと判定されたときはステップＳ５０６へ進み、ＣＰＵ２０７は操作部２０４から出力される信号を読み取ってモード選択ダイアル１０３が再生モードに設定されているかどうかを判定する。動作モードが再生モードに設定されているときはステップＳ５０７へ進み、再生モードの送信先識別符号をシリアル通信インターフェース２１１を介してＥＥＰＲＯＭ２１０から読み出してＲＡＭ２０８の識別符号格納領域に格納する。次にステップＳ５０８でＣＰＵ２０７は、再生モードの送信画像指定情報（基準となる画像と送信する画像の個数（Ｋ）の組）をシリアル通信インターフェース２１１を介してＥＥＰＲＯＭ２１０から読み出して、その内容をＲＡＭ２０８の所定の領域に格納し、ステップＳ５０９へ進む。
【００４９】
ステップＳ５０９では、一連の画像送信処理中に無線送信した画像データ（ファイル）の個数を表すパラメータｉを０に初期化する。次に、ステップＳ５１０で、送信すべき画像データが残っているかどうかを判定する。一連の画像送信動作中に無線送信した画像データの個数がステップＳ５０５またはステップＳ５０８でＥＥＰＲＯＭ２１０から読み出してＲＡＭ２０８に格納した送信する画像データ（ファイル）の個数Ｋに到達しておらず、且つ、メモリカードに記録された画像データの中に未送信の画像データがある場合、すなわち条件「ｉ＜Ｎ且つｉ＜Ｋ」を満足するときは、送信すべき画像データが残っていると判定してステップＳ５１１へ進む。
【００５０】
次に、ステップＳ５１１で、ステップＳ５０５またはステップＳ５０８で読み出した送信画像指定情報と、すでに無線送信した画像データの数ｉの値とから次に送信する画像を特定し、メモリカードから当該画像の画像データを読み出してＲＡＭ２０８に格納する。続くステップＳ５１２で、ステップＳ５１１でＲＡＭ２０８に格納した画像データを、ステップＳ５０４またはステップＳ５０７でＲＡＭ２０８に格納した送信先識別符号と共に無線通信回路部２０３を介して無線送信する。このとき、画像データを送信中であることをＬＥＤランプ１１３の点滅及び／又はカラー液晶表示装置１０５への文字情報などの表示によって報知する。さらに、送信した画像データの個数を表すパラメータｉの値を１増加して再びステップＳ５１０へ戻り、画像データの送信処理を繰り返す。
【００５１】
ステップＳ５１０で、一連の画像送信処理中の送信画像データ数が指定された数に達したか、またはメモリカードに記録されている画像データを全て送信した場合、すなわち条件「ｉ≧Ｎまたはｉ≧Ｋ」を満足するときは、未送信画像は残っていないと判定してステップＳ５１３へ進む。ステップＳ５１３では、ＣＰＵ２０７が再び割り込み信号を受け付けられるようにステップＳ５０１で設定した割り込みの禁止を解除し、本画像送信処理を終了する。
【００５２】
また、上記ステップＳ５０２においてメモリカードに画像データが記録されていない（Ｎ＝０）と判定されると、ステップＳ５１４へ進み、メモリカードに画像データが記録されていないことをカラー液晶表示装置１０５に表示するとともにＬＥＤランプ１１３を点滅して警告表示を行い、ステップＳ５１３へ進む。ステップＳ５１３では、ＣＰＵ２０７が再び割り込み信号を受け付けられるようステップＳ５０１で設定した割り込みの禁止を解除し、本画像送信処理を終了する。
【００５３】
さらに、上記ステップＳ５０６で、動作モードが再生モードではないと判定されたときは、ステップＳ５１３へ進み、ＣＰＵ２０７が再び割り込み信号を受け付けられるようステップＳ５０１で設定した割り込みの禁止を解除し、本画像送信処理を終了する。
【００５４】
以上のように、図５に示したフローチャートの処理を行うことにより、送信ボタン１１２を操作したとき、予め登録した撮影モードおよび再生モードのそれぞれの動作モードに対応する送信先に、予め指定した画像データを送信することが可能となる。
【００５５】
たとえば、撮影モードにおける送信先として大容量のハードディスク装置を内蔵するパーソナルコンピュータを対応付けて登録し、再生モードにおける送信先としてカラープリンタを登録した場合、撮影モードを選択した状態で送信ボタン１１２を押すと、画像データはパーソナルコンピュータに送信されてハードディスクに画像データを保存することができ、一方、再生モードを選択した状態で送信ボタン１１２を押すと、カラープリンタに画像データが送られ、手元の液晶画面で画像を確認しながら印刷操作をすることができる。
【００５６】
上記の通り、本第１の実施形態によれば、煩わしい操作を行うことなく、適切に画像データを他の電子機器へ送信することを容易に行うことができ、また、利便性の向上を図ることができる。
【００５７】
＜第２の実施形態＞
次に、本発明の第２の実施形態について説明する。
【００５８】
なお、本第２の実施形態に係るデジタルカメラの外観および構成は、上述した第１の実施形態の図１および図２に示すものと同様であるので、ここでは説明を省略する。
【００５９】
上述した第１の実施形態では、撮影モードおよび再生モードのそれぞれの動作モードに対して各々一つの送信先識別符号を予め登録し、送信ボタンを押下すると動作モードに応じて当該登録した送信先に画像データを送信する制御を行う場合を説明したが、本第２の実施形態では、各動作モードに対して複数の送信先識別符号を登録することができ、送信ボタンの押下時にその複数の識別符号のうちから一つを選択して送信先を決定して画像データを送信するデジタルカメラについて説明する。
【００６０】
図６は、本第２の実施形態に係るデジタルカメラ１００における送信先の識別符号を登録する画面表示を示す図である。この画面は上述した第１の実施形態と同様にメニューボタン１０６などの操作によって呼び出し、「左」ボタン１０８、「右」ボタン１０９、決定ボタン１０７等を操作して識別符号を登録する。識別符号の登録画面には、上述した第１の実施形態の図３と同様に、動作モード選択欄６０１と識別符号入力欄６０２があるほか、その動作モードにおける何番目の登録であるかを指定する番号選択欄６０３がある。なお、登録操作に用いるボタンは上記に限るものではなく、適宜変更可能であることは言うまでもない。
【００６１】
図６（ａ）は、撮影モードにおける１番目の送信先識別符号を登録する画面を表している。ここでは、識別符号「ＡＡ．ＡＡ．ＡＡ．１１．１１．１１」を登録する例を示している。同様に、図６（ｂ）、図６（ｃ）はそれぞれ２番目の送信先、３番目の送信先を登録する画面例であり、２番目の識別符号として「ＡＡ．ＡＡ．ＡＡ．２２．２２．２２」が、また、３番目の識別符号として「ＡＡ．ＡＡ．ＡＡ．３３．３３．３３」が登録されている。
【００６２】
なお、各撮影モードにおいて送信する画像を指定する方法は、第１の実施形態で図４を参照して説明したものと同様であるため、説明を省略する。
【００６３】
次に、本第２の実施形態に係るデジタルカメラ１００の画像送信処理を図７のフローチャートを参照して詳細に説明する。図７に示す処理は、デジタルカメラ１００の送信ボタン１１２の操作により起動される割り込み処理である。なお、図７において、図５に示す処理と同様の処理には同じ参照番号を付し、説明を省略する。
【００６４】
図７に示す処理は、ステップＳ５０４とＳ５０５、また、ステップＳ５０７とＳ５０８の処理の間に、複数の送信先識別符号が登録されているかを判断する処理（ステップＳ７０１、Ｓ７０３）と、複数の送信先識別符号が登録されている場合に（ステップＳ７０１又はＳ７０３でＹＥＳ）、送信先を選択する処理（ステップＳ７０２、Ｓ７０４）があるところが、図５に示す処理と異なる。
【００６５】
より詳しくは、ステップＳ７０１ではステップＳ５０４で読み出した送信先識別符号が複数あるかどうか、すなわち撮影モードの送信先識別符号が複数登録されているかどうかを判定し、複数の送信先識別符号が登録されているときはステップＳ７０２へ進み、そうでないときはステップＳ５０５へ進む。
【００６６】
ステップＳ７０２では、登録されている複数の送信先識別符号の中から一つの識別符号を、使用者の操作によって選択する。
【００６７】
ここで、一つの送信先識別符号を選択する方法について、図８を参照して説明する。
【００６８】
図８は、ステップＳ５０４でＥＥＰＲＯＭ２１０から読み出され、ＲＡＭ２０８に格納した識別符号がカラー液晶表示装置１０５に一覧表示されている様子を表している。図８では一例として、送信先として３つの識別符号を登録している場合を示している。使用者は、この画面表示を見ながら、「＋」ボタン１１０、「−」ボタン１１１、および決定ボタン１０７を操作して、一つの識別符号を設定する。「＋」ボタン１１０を押すと、選択表示されている識別符号の一行下の識別符号が選択され、また、「−」ボタン１１１を押すと、選択表示されている識別符号の一行上の識別符号が選択される。また、決定ボタン１０７を押下すると、選択表示されている識別符号が画像データを送信する送信先識別符号として設定される。
【００６９】
例えば、図８の表示状態では、３つの識別符号のうち、一番上の「ＡＡ．ＡＡ．ＡＡ．１１．１１．１１」が選択されており、この状態で決定ボタン１０７を押すと、当該識別符号が送信先として設定される。また、図８の状態で、「＋」ボタン１１０を２度押下した後、決定ボタン１０７を押すと、３番目の「ＡＡ．ＡＡ．ＡＡ．３３．３３．３３」が送信先識別符号として設定される。この操作によって設定された送信先識別符号を有する機器に対して画像データが送信される。
【００７０】
一方、ステップＳ７０３では、ステップＳ５０７で読み出した再生モードの送信先識別符号として複数の識別符号が登録されているかどうか判定し、複数であればステップＳ７０４へ進み、複数でなければステップＳ５０８へ進む。ステップＳ７０４では、上述のステップＳ７０２と同様の方法により一つの識別符号を使用者の操作によって選択する。
【００７１】
ステップＳ５１１では、上述したようにしてステップＳ７０２又はＳ７０４で選択した識別符号と共に、ステップＳ５１１でＲＡＭ２０８に格納した画像データを無線通信回路部２０３を介して無線送信する。
【００７２】
以上説明したように、図７に示したフローチャートの処理を行うことにより、送信ボタン１１２を操作したとき、予め登録した撮影モードおよび再生モードのそれぞれの動作モードに対応する送信先の内から選択した機器に画像データを送信することが可能となる。
【００７３】
たとえば、再生モードにおける送信先として、カラープリンタ及びプロジェクタ（または、プロジェクタに接続されたパーソナルコンピュータ）を予め登録した場合、再生モードにおいて、デジタルカメラのカラー液晶表示装置１１５で画像を確認しながら、印刷するときは送信ボタン１１２を押してカラープリンタを選択し、大人数で鑑賞するときはプロジェクタを選択するといった利用が可能である。
【００７４】
このように、本第２の実施形態によれば、煩わしい操作を行うことなく、適切に画像データを他の電子機器へ送信することを容易に行うことができ、また、利便性の向上を図ることができる。
【００７５】
なお、上述した第２の実施形態では、それぞれの動作モードと対応付けて予め登録した複数の送信先機器から一つの機器を選択して画像データを送信する場合を説明したが、本発明はこれに限定されるものではなく、登録した送信先機器の中から複数の機器を選択して、それらの機器に画像データを送信する制御を行うように本発明のデジタルカメラを構成してもよい。また、各動作モードと対応付けて登録された複数の機器の全てに画像データを送信するように本発明のデジタルカメラを構成することも可能である。
【００７６】
＜第３の実施形態＞
次に、本発明の第３の実施形態について説明する。
【００７７】
なお、本第３の実施形態に係るデジタルカメラの外観および構成は、上述した第１の実施形態の図１および図２に示すものと同様であるので、ここでは説明を省略する。
【００７８】
また、本第３の実施形態に係る各撮影モード毎に送信先の識別符号を登録する方法及び送信する画像を指定する方法は、第１の実施形態で図３及び図４を参照して説明したものと同様であるため、説明を省略する。
【００７９】
上述した第１の実施形態および第２の実施形態では、送信ボタン１１２を押下するとＣＰＵ２０７に対して割り込みを発生し、割り込み処理によって送信制御を行う場合を説明したが、本第３の実施形態は、撮影モードおよび再生モードのそれぞれの動作モードで通常動作中に送信ボタン１１２の押下をポーリングにより検出して画像データの送信制御を行うデジタルカメラに関するものである。
【００８０】
以下、本第３の実施形態に係るデジタルカメラ１００の動作を図９及び図１０を参照して詳細に説明する。図９は、本第３の実施形態に係るデジタルカメラ１００の撮影モードにおける動作手順を示すフローチャートである。
【００８１】
電源スイッチ１０２とモード選択ダイアル１０３の操作により、デジタルカメラ１００が撮影モードに設定されると、ＣＰＵ２０７はＲＯＭ２０６に予め格納された撮影モードの制御手順を実行し、その途中で図９に示す処理手順を実行する。
【００８２】
ステップＳ９０１では、撮影に係る処理ルーチンを実行する。このルーチンでは、ＣＰＵ２０７は操作部２０４から出力される信号を監視して撮影ボタン１０１が押されたかどうかを判定し、撮影ボタン１０１の押下を検出すると、撮像部２０１から出力されるデジタル画像データをＲＡＭ２０８に格納するとともに、特定のフォーマット形式に変換して、装着したメモリカードに画像データ（ファイル）として記録するといった撮影の処理を行う。
【００８３】
次に、ステップＳ９０２で、操作部２０４から出力される信号を監視して送信ボタン１１２が押下されたかどうかを判定し、送信ボタン１１２が押下されているときはステップＳ９０３へ進む。ステップＳ９０３では、メモリカード接続回路部２０２に接続されたメモリカードの内容を読み出して、メモリカードに画像データが記録されているかどうかを判定する。ここでは、メモリカードに記録された画像データ（ファイル）の個数Ｎを確認し、Ｎ＝０であれば画像が記録されていないのでステップＳ９１１に進み、Ｎ≧１であれば画像が記録されているのでステップＳ９０４へ進む。
【００８４】
ステップＳ９０４では、ＣＰＵ２０７はＥＥＰＲＯＭ２１０に格納されている撮影モードの送信先識別符号をシリアル通信インターフェース２１１を介して読み出し、ＲＡＭ２０８の識別符号を格納する領域に読み出した識別符号を格納する。続くステップＳ９０５で、撮影モードの送信画像指定情報、すなわち基準となる画像と、一度に送信する画像データの個数（Ｋ）に関する情報をＥＥＰＲＯＭ２１０から読み出してＲＡＭ２０８に格納する。次に、ステップＳ９０６で、無線送信した画像データの個数を表すパラメータｉの値を０に初期化し、ステップＳ９０７へ進む。
【００８５】
ステップＳ９０７では、送信すべき画像データが残っているかどうかを判定する。無線送信した画像データの個数がステップＳ９０５で読み出した送信する画像データの個数に到達しておらず、且つ、メモリカードに未送信の画像データがある場合、すなわち条件「ｉ＜Ｎ且つｉ＜Ｋ」を満足するときは、送信すべき画像データが残っていると判定してステップＳ９０８へ進む。
【００８６】
ステップＳ９０８では、ステップＳ９０５で読み出した送信画像指定情報と、すでに送信した画像データの数ｉの値とから次に送信する画像を特定し、メモリカードから当該画像の画像データを読み出してＲＡＭ２０８に格納する。続くステップＳ９０９で、ＲＡＭ２０８に格納した画像データを、ステップＳ９０４で読み出した送信先識別符号と共に無線通信回路部２０３を介して無線送信する。このとき、画像データを送信中であることをＬＥＤランプ１１３の点滅及び／又はカラー液晶表示装置１０５への文字情報などの表示によって報知する。さらに、送信した画像データの個数を表すパラメータｉの値を１増加して再びステップＳ９０７へ戻り、画像データの送信処理を繰り返す。
【００８７】
ステップＳ９０７で、送信画像データ数が指定された数に到達したか、またはメモリカードに記録されている画像データを全て送信した場合、すなわち条件「ｉ≧Ｎまたはｉ≧Ｋ」を満足するときは、ステップＳ９１０へ進む。ステップＳ９１０では、操作部２０４から出力される信号を監視してモード選択ダイアル１０３が撮影モードに設定されているか判定し、モード選択ダイアル１０３が撮影モードに設定されたままであれば再びステップＳ９０１へ戻って上述した処理動作を継続し、撮影モード以外の動作モードに設定されていれば撮影モードの本処理動作を終了する。
【００８８】
また、上記ステップＳ９０３で、装着したメモリカードに画像データが記録されていない（Ｎ＝０）と判定されたときはステップＳ９１１へ進み、メモリカードに画像データが記録されていない旨をカラー液晶表示装置１０５に表示すると共にＬＥＤランプ１１３を点滅して警告表示を行う。その後、ステップＳ９１０に進んで、上述した動作を行う。
【００８９】
更に、上記ステップＳ９０２で、送信ボタン１１２が押下されていないと判定されたときは、ステップＳ９１０へ進み、上述した動作を行う。
【００９０】
次に、本第３の実施形態に係る再生モードにおけるデジタルカメラ１００の動作について、図１０のフローチャートを参照して説明する。
【００９１】
デジタルカメラ１００の電源スイッチ１０２とモード選択ダイアル１０３を操作して、デジタルカメラ１００が再生モードに設定されると、ＣＰＵ２０７はＲＯＭ２０６に予め格納された再生モードの制御手順を実行し、その途中で図１０に示す処理手順を実行する。
【００９２】
ステップＳ１００１では、メモリカード接続回路部２０２に接続されたメモリカードの内容を読み出して、メモリカードに画像データが記録されているかどうかを判定する。ここでは、メモリカードに記録された画像データ（ファイル）の個数Ｎを確認し、Ｎ＝０であれば画像が記録されていないのでステップＳ１０１１に進み、Ｎ≧１であれば画像が記録されているのでステップＳ１００２へ進む。
【００９３】
ステップＳ１００２では、再生に係る処理ルーチンを実行する。このルーチンでは、ＣＰＵ２０７はメモリカードからＲＡＭ２０８に画像データを読み出してカラー液晶表示装置１０５に表示する。また、操作部２０４から出力される信号を監視してボタン操作の検出を行い、「左」ボタン１０８や「右」ボタン１０９の操作に応じて表示画像の変更、「＋」ボタン１１０や「−」ボタン１１１の操作に応じて拡大表示や一覧表示の切り換えといった画像再生の処理を行う。
【００９４】
次に、ステップＳ１００３で、操作部２０４から出力される信号を監視して送信ボタン１１２が押下されたかどうかを判定し、送信ボタン１１２が押下されているときはステップＳ１００４へ進む。ステップＳ１００４では、ＣＰＵ２０７はＥＥＰＲＯＭ２１０に格納されている再生モードの送信先識別符号をシリアル通信インターフェース２１１を介して読み出し、ＲＡＭ２０８の識別符号を格納する領域に読み出した識別符号を格納する。続くステップＳ１００５で、再生モードの送信画像指定情報、すなわち基準となる画像と、一度に送信する画像データの個数（Ｋ）に関する情報をＥＥＰＲＯＭ２１０から読み出してＲＡＭ２０８に格納する。次に、ステップＳ１００６で、無線送信した画像データの個数を表すパラメータｉの値を０に初期化し、ステップＳ１００７へ進む。
【００９５】
ステップＳ１００７では、図９のステップＳ９０７と同様にして送信すべき画像データが残っているかどうかを判定する。未送信の画像データが残っている場合、すなわち「ｉ＜Ｎかつｉ＜Ｋ」を満たすときはステップＳ１００８へ進む。
【００９６】
ステップＳ１００８では、ステップＳ１００５で読み出した送信画像指定情報と、すでに送信した画像データの数ｉの値とから次に送信する画像を特定し、メモリカードから当該画像の画像データを読み出してＲＡＭ２０８に格納する。続くステップＳ１００９で、ＲＡＭ２０８に格納した画像データを、ステップＳ１００４で読み出した送信先識別符号と共に無線通信回路部２０３を介して無線送信する。このとき、画像データを送信中であることをＬＥＤランプ１１３の点滅及び／又はカラー液晶表示装置１０５への文字情報などの表示によって報知する。さらに、送信した画像データの個数を表すパラメータｉの値を１増加して再びステップＳ１００７へ戻る。
【００９７】
一方、上記ステップＳ１００７で、未送信画像データが無いと判定されたとき、すなわち「ｉ≧Ｎまたはｉ≧Ｋ」を満たすときは、ステップＳ１０１０へ進む。ステップＳ１０１０では、操作部２０４から出力される信号を監視してモード選択ダイアル１０３が再生モードに設定されているか判定し、モード選択ダイアル１０３が再生モードに設定されたままであれば再びステップＳ１００１へ戻って上述した処理動作を継続し、再生モード以外の動作モードに設定されていれば再生モードの本処理動作を終了する。
【００９８】
また、上記ステップＳ１００１で、装着したメモリカードに画像データが記録されていないと判定されたときはステップＳ１０１１へ進み、メモリカードに画像データが記録されていない旨をカラー液晶表示装置１０５に表示すると共にＬＥＤランプ１１３を点滅して警告表示を行う。その後、ステップＳ１０１０に進んで、上述した動作を行う。
【００９９】
更に、上記ステップＳ１００３で、送信ボタン１１２が押下されていないと判定されたときは、ステップＳ１０１０へ進み、上述した動作を行う。
【０１００】
以上のように、図９および図１０に示したフローチャートの処理を行うことにより、デジタルカメラが撮影モードで動作しているときに送信ボタンを押下すると、撮影モードに対応付けられた送信先に画像データを送信することができ、また、デジタルカメラが再生モードで動作しているときに送信ボタンを押下すると、再生モードに対応付けられた送信先に画像データを送信することができる。
【０１０１】
このように、本第３の実施形態によれば、煩わしい操作を行うことなく、適切に画像データを他の電子機器へ送信することを容易に行うことができ、また、利便性の向上を図ることができる。
【０１０２】
なお、上述の第３の実施形態では、第１の実施形態と同様に撮影モードおよび再生モードのそれぞれの動作モードに対して各々一つの送信先識別符号を予め登録する場合を説明したが、本発明はこれに限定されるものではなく、上述の第２の実施形態と同様に各動作モードに対して複数の送信先識別符号を登録し、送信時に選択するように本発明のデジタルカメラを構成しても良い。
【０１０３】
【他の実施形態】
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。
【０１０４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０５】
本発明を上記記憶媒体に適用する場合、その記憶媒体には、先に説明した図５、図７、又は図９及び図１０に示すフローチャートに対応するプログラムコードが格納されることになる。
【０１０６】
【発明の効果】
以上詳述したように、本発明によれば、煩わしい操作を行うことなく、適切に画像データを他の電子機器へ送信することを容易に行うことができ、また、利便性の向上を図ることができる。
【図面の簡単な説明】
【図１】本発明の実施の形態に係るデジタルカメラの後面側を示す外観斜視図である。
【図２】本発明の実施の形態に係るデジタルカメラの構成を示すブロック図である。
【図３】本発明の第１の実施形態に係るデジタルカメラの送信先識別符号を登録する画面表示の状態を示す図である。
【図４】本発明の第１の実施形態に係るデジタルカメラの送信画像を指定する画面表示の状態を示す図である。
【図５】本発明の第１の実施形態に係る画像送信処理を示すフローチャートである。
【図６】本発明の第２の実施形態に係るデジタルカメラの送信先識別符号を登録する画面表示の状態を示す図である。
【図７】本発明の第２の実施形態に係る画像送信処理を示すフローチャートである。
【図８】本発明の第２の実施形態に係る複数の識別符号から一つの識別符号を選択する画面表示の状態を示す図である。
【図９】本発明の第３の実施形態に係るデジタルカメラの撮影モードにおける動作を示すフローチャートである。
【図１０】本発明の第３の実施形態に係るデジタルカメラの再生モードにおける動作を示すフローチャートである。
【符号の説明】
１００  デジタルカメラ
１０１  撮影ボタン
１０２  電源スイッチ
１０３  モード選択ダイアル
１０４  アンテナ
１０５  カラー液晶表示装置
１０６  メニューボタン
１０７  決定ボタン
１０８  「左」ボタン
１０９  「右」ボタン
１１０  「＋」ボタン
１１１  「−」ボタン
１１２  送信ボタン
１１３  ＬＥＤランプ
１１４  メモリカードカバー
１１５  メモリカードカバーオープンレバー
２０１  撮像部
２０２  メモリカード接続回路部
２０３  無線通信回路部
２０４  操作部
２０５  表示部
２０６  ＲＯＭ
２０７  ＣＰＵ
２０８  ＲＡＭ
２０９  バスライン
２１０  ＥＥＰＲＯＭ
２１１  シリアル通信インターフェース
２１２  電源回路部
２１３  電源ライン
【図１】
2004336196.tif 000003
【図２】
2004336196.tif 000004
【図３】
2004336196.tif 000005
【図４】
2004336196.tif 000006
【図５】
2004336196.tif 000007
【図６】
2004336196.tif 000008
【図７】
2004336196.tif 000009
【図８】
2004336196.tif 000010
【図９】
2004336196.tif 000011
【図１０】
2004336196.tif 000012